(57)【要約】【課題】氷雪上走行性および陸部の剛性を維持しつつ、フロークラックの発生を抑制すること。【解決手段】タイヤ周方向に延在する複数の主溝２と、主溝に交差する複数の副溝３とによりトレッド部１にブロック状の陸部４が形成され、かつ陸部の踏面４ａにて開口しつつタイヤ周方向に対して交差して細溝状に延在する両端が閉塞されたクローズドサイプ５を有する空気入りタイヤにおいて、クローズドサイプの開口部５Ａと陸部のタイヤ周方向の外壁面４ｂとの間の平均距離をＴＳＣとし、クローズドサイプの溝底部５Ｂにおける端部５Ｂａと陸部のタイヤ周方向の外壁面との間の最短距離をＴＢＥとし、クローズドサイプの溝底部と陸部のタイヤ周方向の外壁面との間の平均距離をＴＢＣとした場合に、ＴＢＥ＜ＴＢＣ、かつＴＳＣ＜ＴＢＣの関係を有する。【選択図】図１
2010254195.tif 000002
【特許請求の範囲】
【請求項１】
タイヤ周方向に延在する複数の主溝と、前記主溝に交差する複数の副溝とによりトレッド部にブロック状の陸部が形成され、かつ前記陸部の踏面にて開口しつつタイヤ周方向に対して交差して細溝状に延在する両端が閉塞されたクローズドサイプを有する空気入りタイヤにおいて、
前記クローズドサイプの開口部と前記陸部のタイヤ周方向の外壁面との間の平均距離をＴＳＣとし、前記クローズドサイプの溝底部における端部と前記陸部のタイヤ周方向の外壁面との間の最短距離をＴＢＥとし、前記クローズドサイプの溝底部と前記陸部のタイヤ周方向の外壁面との間の平均距離をＴＢＣとした場合に、
ＴＢＥ＜ＴＢＣ、かつＴＳＣ＜ＴＢＣの関係を有することを特徴とする空気入りタイヤ。
【請求項２】
１．２≦ＴＢＣ／ＴＢＥ≦１．８、かつ１．２≦ＴＢＣ／ＴＳＣ≦２．０の範囲に設定されていることを特徴とする請求項１に記載の空気入りタイヤ。
【請求項３】
前記クローズドサイプの開口部における端部と前記陸部のタイヤ周方向の外壁面との間の最短距離をＴＳＥとした場合に、
ＴＳＣ≦ＴＳＥの関係を有することを特徴とする請求項１または２に記載の空気入りタイヤ。
【請求項４】
１．０≦ＴＳＥ／ＴＳＣ≦１．５の範囲に設定されていることを特徴とする請求項３に記載の空気入りタイヤ。
【請求項５】
前記クローズドサイプの開口部における延在方向の形状に沿う端部間距離をＬＳとし、前記クローズドサイプの溝底部における延在方向の形状に沿う端部間距離をＬＢとした場合に、
ＬＳ＜ＬＢの関係を有することを特徴とする請求項１〜４のいずれか一つに記載の空気入りタイヤ。
【請求項６】
１．２≦ＬＢ／ＬＳ≦２．０の範囲に設定されていることを特徴とする請求項５に記載の空気入りタイヤ。
【請求項７】
２．０［ｍｍ］≦ＴＳＣ≦６．０［ｍｍ］の範囲に設定されていることを特徴とする請求項１〜６のいずれか一つに記載の空気入りタイヤ。
【請求項８】
前記主溝の溝深さが１８［ｍｍ］以上、かつ前記クローズドサイプの溝深さが前記主溝の溝深さの５０［％］以上１００［％］以下の範囲に設定されていることを特徴とする請求項１〜７のいずれか一つに記載の空気入りタイヤ。
【発明の詳細な説明】
【技術分野】
【０００１】
本発明は、氷雪上での走行に適した空気入りタイヤに関するものである。
【背景技術】
【０００２】
氷雪上での走行に適した空気入りタイヤでは、トレッド部にブロック状の陸部を設け、この陸部の表面（車両に装着した場合に路面と接触する踏面）に、細溝状のサイプを形成したものが知られている。この種の空気入りタイヤでは、ブロック状の陸部およびサイプにより排雪・排水効果およびエッジ効果が向上するが、サイプにより陸部の剛性が低下し、ヒールアンドトウ摩耗や、サイプを起因とした陸部のクラックが発生し易くなる。
【０００３】
そこで、従来では、ブロック状の陸部に、実質的にタイヤ幅方向に沿って延びるサイプがタイヤ周方向に複数形成され、複数のサイプのうちの少なくとも一つのサイプは、深さ方向の一部が踏面と垂直な方向に対して傾斜しており、複数のサイプで区分された複数の小ブロックは、蹴り出し側の小ブロックのタイヤ周方向寸法が、踏み込み側の小ブロックのタイヤ周方向寸法よりも大きく形成された空気入りタイヤが知られている（例えば、特許文献１参照）。
【０００４】
この特許文献１の空気入りタイヤによれば、陸部が接地して圧縮されると、サイプの傾斜部分においてサイプの互いに対向する溝壁面が強く圧接することで陸部の倒れ込み変形を抑える。このため、陸部の剛性を向上できる。しかも、蹴り出し側の小ブロックのタイヤ周方向寸法が、踏み込み側の小ブロックのタイヤ周方向寸法よりも大きく形成されていることから、蹴り出し側の小ブロックの剛性が踏み込み側の小ブロックの剛性よりも大きく、これにより、陸部が路面から離隔する際の陸部の蹴り出し側の動き（路面との滑り）を小さくする。このため、ヒールアンドトウ摩耗の発生を抑制できる。
【先行技術文献】
【特許文献】
【０００５】
【特許文献１】特開２００１−６３３２２号公報
【発明の概要】
【発明が解決しようとする課題】
【０００６】
しかしながら、特許文献１の空気入りタイヤでは、踏み込み側の小ブロックについて、その成形金型が、サイプ形成用の板材と、陸部の外壁面をなす壁面材との間隔が極めて狭いことから、成型時にて、板材と壁面材との間に加硫されたトレッドゴムが流入し難くなる。そして、タイヤ径方向内側から陸部の踏面に向けてトレッドゴムが流入し難い場合、サイプが開口する陸部の踏面の位置に空気が残留することで、サイプの開口部のタイヤ幅方向中央にフロークラックが発生するおそれがある。特に、陸部の剛性を向上しヒールアンドトウ摩耗の発生を抑制するためにサイプの端部を閉塞させたクローズドサイプにおいては、板材の端部からのトレッドゴムの流入により、タイヤ径方向内側から陸部の踏面に向けてトレッドゴムが流入し難くなって空気が残留し易いことから、フロークラックが発生し易い傾向にある。
【０００７】
本発明は、上記に鑑みてなされたものであって、氷雪上走行性および陸部の剛性を維持しつつ、フロークラックの発生を抑制することのできる空気入りタイヤを提供することを目的とする。
【課題を解決するための手段】
【０００８】
上述した課題を解決し、目的を達成するために、本発明の空気入りタイヤは、タイヤ周方向に延在する複数の主溝と、前記主溝に交差する複数の副溝とによりトレッド部にブロック状の陸部が形成され、かつ前記陸部の踏面にて開口しつつタイヤ周方向に対して交差して細溝状に延在する両端が閉塞されたクローズドサイプを有する空気入りタイヤにおいて、前記クローズドサイプの開口部と前記陸部のタイヤ周方向の外壁面との間の平均距離をＴＳＣとし、前記クローズドサイプの溝底部における端部と前記陸部のタイヤ周方向の外壁面との間の最短距離をＴＢＥとし、前記クローズドサイプの溝底部と前記陸部のタイヤ周方向の外壁面との間の平均距離をＴＢＣとした場合に、ＴＢＥ＜ＴＢＣ、かつＴＳＣ＜ＴＢＣの関係を有することを特徴とする。
【０００９】
この空気入りタイヤによれば、クローズドサイプは、その溝底部において端部が陸部のタイヤ周方向の外壁面に最も近接して形成されている。すなわち、成形金型において、クローズドサイプの形成用の板材は、クローズドサイプの溝底部となるタイヤ径方向内側に向く先端が、陸部のタイヤ周方向の外壁面をなす壁部材に対して側端を最も近接するように湾曲（屈曲も含む）して形成される。このため、空気入りタイヤの成型時には、板材の側端から板材の中央へのトレッドゴムの流入量よりも、板材の先端のタイヤ幅方向中央から陸部の踏面へのトレッドゴムの流入量が多くなるので、このトレッドゴムの流入量の差によりクローズドサイプの開口部の位置で空気が端部側に押し出される。この結果、クローズドサイプの開口部のタイヤ幅方向中央でのフロークラックの発生を抑制できる。
【００１０】
しかも、この空気入りタイヤによれば、クローズドサイプは、溝底部から開口部に向かうに連れて陸部のタイヤ周方向の外壁面に近接するように形成されている。この結果、クローズドサイプの開口部が陸部の外壁面に近接するので、氷雪上走行性を維持できる。さらに、クローズドサイプの溝底部が開口部よりも陸部のタイヤ周方向の外壁面から離隔しているので、陸部の剛性を維持し、摩耗初期のサイプクラックを抑制できる。
【００１１】
また、本発明の空気入りタイヤは、１．２≦ＴＢＣ／ＴＢＥ≦１．８、かつ１．２≦ＴＢＣ／ＴＳＣ≦２．０の範囲に設定されていることを特徴とする。
【００１２】
この空気入りタイヤによれば、ＴＢＣ／ＴＢＥが１．２未満であると、空気入りタイヤの成型時に、成形金型における板材の側端から板材の中央へのトレッドゴムの流入量と、板材の先端のタイヤ幅方向中央から陸部の踏面へのトレッドゴムの流入量との差が小さくなり、クローズドサイプの開口部の位置で空気を端部側に押し出し難くなる。一方、ＴＢＣ／ＴＢＥが１．８を超えると、空気入りタイヤの成型時に、成形金型における板材の側端から板材の中央へのトレッドゴムの流入量よりも、板材の先端のタイヤ幅方向中央から陸部の踏面へのトレッドゴムの流入量が多くなりすぎ、トレッドゴムの流入不良が生じ易くなる。このため、１．２≦ＴＢＣ／ＴＢＥ≦１．８の範囲は、クローズドサイプの開口部のタイヤ幅方向中央でのフロークラックの発生を抑制するうえでより好ましい。
【００１３】
さらに、ＴＢＣ／ＴＳＣが１．２未満であると、陸部のタイヤ周方向の外壁面に対するクローズドサイプの開口部の平均距離と、陸部のタイヤ周方向の外壁面に対する溝底部の平均距離との差が小さくなるので、陸部の剛性が低下し、摩耗初期のサイプクラックを抑制することが難しくなる。一方、ＴＢＣ／ＴＳＣが２．０を超えると、陸部のタイヤ周方向の外壁面に対するクローズドサイプの開口部の平均距離と、陸部のタイヤ周方向の外壁面に対する溝底部の平均距離との差が大きすぎるので、氷雪上走行性が低下する。このため、１．２≦ＴＢＣ／ＴＳＣ≦２．０の範囲は、氷雪上走行性および陸部の剛性を維持するうえでより好ましい。
【００１４】
また、本発明の空気入りタイヤは、前記クローズドサイプの開口部における端部と前記陸部のタイヤ周方向の外壁面との間の最短距離をＴＳＥとした場合に、ＴＳＣ≦ＴＳＥの関係を有することを特徴とする。
【００１５】
この空気入りタイヤによれば、クローズドサイプの開口部における端部が陸部のタイヤ周方向の外壁面から最も離隔して全体として湾曲（屈曲も含む）形成されている。この結果、クローズドサイプの開口部の端部への応力集中が緩和されるので、クローズドサイプの開口部おける端部と陸部のタイヤ周方向の外壁面との間での、摩耗初期のサイプクラックを抑制できる。
【００１６】
また、本発明の空気入りタイヤは、１．０≦ＴＳＥ／ＴＳＣ≦１．５の範囲に設定されていることを特徴とする。
【００１７】
この空気入りタイヤによれば、ＴＳＥ／ＴＳＣが１．０未満であると、クローズドサイプの開口部の端部が、陸部のタイヤ周方向の外壁面に最も近接するので、クローズドサイプの開口部における端部と陸部のタイヤ周方向の外壁面との間での、摩耗初期のサイプクラックを抑制することが難しくなる。一方、ＴＳＥ／ＴＳＣが１．５を超えると、クローズドサイプの開口部の中程が、陸部のタイヤ周方向の外壁面に最も近接するので、空気入りタイヤの成型時に、成形金型における板材の側端から板材の中央へのトレッドゴムの流入量に対し、板材の先端のタイヤ幅方向中央から陸部の踏面へのトレッドゴムの流入量が少なくなり、クローズドサイプの開口部の位置で空気を端部側に押し出し難くなる。また、ＴＳＥ／ＴＳＣが１．５を超えると、クローズドサイプの開口部における端部が、陸部のタイヤ周方向の外壁面から最も離隔するので、氷雪上走行性が低下する。このため、１．０≦ＴＳＥ／ＴＳＣ≦１．５の範囲は、氷雪上走行性および陸部の剛性を維持しつつクローズドサイプの開口部のタイヤ幅方向中央でのフロークラックの発生を抑制するうえでより好ましい。
【００１８】
また、本発明の空気入りタイヤは、前記クローズドサイプの開口部における延在方向の形状に沿う端部間距離をＬＳとし、前記クローズドサイプの溝底部における延在方向の形状に沿う端部間距離をＬＢとした場合に、ＬＳ＜ＬＢの関係を有することを特徴とする。
【００１９】
この空気入りタイヤによれば、新品時に対して陸部の踏面の摩耗時でのクローズドサイプの線分が増加するので、摩耗時におけるエッジ成分が増加し、陸部の踏面の摩耗に伴う氷雪上走行性の低下を抑制できる。
【００２０】
また、本発明の空気入りタイヤは、１．２≦ＬＢ／ＬＳ≦２．０の範囲に設定されていることを特徴とする。
【００２１】
この空気入りタイヤによれば、ＬＢ／ＬＳが１．２未満であると、摩耗時におけるエッジ成分の増加量が少なくなる。一方、ＬＢ／ＬＳが２．０を超えると、クローズドサイプの開口部における端部間距離ＬＳが小さすぎ、氷雪上走行性が維持し難くなる。このため、１．２≦ＬＢ／ＬＳ≦２．０の範囲は、氷雪上走行性の低下を抑制するうえでより好ましい。
【００２２】
また、本発明の空気入りタイヤは、２．０［ｍｍ］≦ＴＳＣ≦６．０［ｍｍ］の範囲に設定されていることを特徴とする。
【００２３】
この空気入りタイヤによれば、クローズドサイプの開口部と陸部のタイヤ周方向の外壁面との間の平均距離ＴＳＣを短くすると、外壁面の近くにクローズドサイプが配置されてエッジ効果が増大し氷雪上走行性が向上する。その反面、ＴＳＣが２．０［ｍｍ］未満で、クローズドサイプが外壁面に近すぎると、クローズドサイプと外壁面との間の剛性が低下してヒールアンドトウ摩耗が発生し易くなる。一方、ＴＳＣが６．０［ｍｍ］を超えると、クローズドサイプの開口部が陸部のタイヤ周方向の外壁面から離隔するため氷雪上走行性が低下する。このため、２．０［ｍｍ］≦ＴＳＣ≦６．０［ｍｍ］の範囲は、氷雪上走行性および陸部の剛性を維持するうえでより好ましい。
【００２４】
また、本発明の空気入りタイヤは、前記主溝の溝深さが１８［ｍｍ］以上、かつ前記クローズドサイプの溝深さが前記主溝の溝深さの５０［％］以上１００［％］以下の範囲に設定されていることを特徴とする。
【００２５】
主溝の溝深さが１８［ｍｍ］以上の空気入りタイヤでは、クローズドサイプの溝深さが主溝の溝深さの５０［％］以上の範囲でエッジ成分が作用して氷雪上性が維持できる。なお、クローズドサイプの溝深さが主溝の溝深さの１００［％］を超えると、ブロック剛性が低下する。このような構成の空気入りタイヤにおいては、タイヤ成型時にトレッドゴムが流入し難く、フロークラックが発生し易い傾向にある。このため、主溝の溝深さが１８［ｍｍ］以上で、かつクローズドサイプの溝深さが主溝の溝深さの５０［％］以上１００［％］以下の範囲の空気入りタイヤを適用対象とすることで、氷雪上走行性および陸部の剛性を維持しつつ、フロークラックの発生を抑制する効果が顕著にあらわれる。
【発明の効果】
【００２６】
本発明にかかる空気入りタイヤは、クローズドサイプの形状を規定したことにより、氷雪上走行性および陸部の剛性を維持しつつ、フロークラックの発生を抑制できる。
【図面の簡単な説明】
【００２７】
【図１】図１は、本発明の実施の形態にかかる空気入りタイヤのトレッド部の概略斜視図である。
【図２】図２は、本発明の実施の形態にかかる空気入りタイヤを成形する成形金型の概略図である。
【図３】図３は、本発明の他の実施の形態にかかる空気入りタイヤのトレッド部の概略斜視図である。
【図４】図４は、本発明の実施例にかかる空気入りタイヤの性能試験の結果を示す図表である。
【発明を実施するための形態】
【００２８】
以下に、本発明にかかる空気入りタイヤの実施の形態を図面に基づいて詳細に説明する。なお、この実施の形態によりこの発明が限定されるものではない。また、この実施の形態の構成要素には、当業者が置換可能かつ容易なもの、あるいは実質的同一のものが含まれる。また、この実施の形態に記載された複数の変形例は、当業者自明の範囲内にて任意に組み合わせが可能である。
【００２９】
以下の説明において、タイヤ径方向とは、空気入りタイヤの回転軸（図示省略）と直交する方向をいい、タイヤ径方向内側とはタイヤ径方向において回転軸に向かう側、タイヤ径方向外側とは、タイヤ径方向において回転軸から離れる側をいう。また、タイヤ周方向とは、回転軸を中心軸とする周方向である。また、タイヤ幅方向とは、回転軸と平行な方向をいい、タイヤ幅方向内側とはタイヤ幅方向においてタイヤ赤道面に向かう側、タイヤ幅方向外側とは、タイヤ幅方向においてタイヤ赤道面から離れる側をいう。また、タイヤ赤道面とは、空気入りタイヤの回転軸に直交すると共に、空気入りタイヤのタイヤ幅の中心を通る平面である。タイヤ幅は、タイヤ幅方向の外側に位置する部分同士のタイヤ幅方向における幅、つまり、タイヤ幅方向においてタイヤ赤道面から最も離れている部分間の距離である。
【００３０】
本実施の形態の空気入りタイヤは、重荷重用空気入りタイヤとして好適であり、さらにスタッドレスタイヤやオールシーズンタイヤのように氷雪上での走行に適したものである。この空気入りタイヤは、図１に示すように、トレッド部１を有している。トレッド部１は、ゴム材からなり、空気入りタイヤのタイヤ径方向の最も外側で露出し、その表面が空気入りタイヤの輪郭となる。このトレッド部１の表面は、空気入りタイヤを装着する車両（図示省略）が走行した際に路面と接触する踏面として形成されている。
【００３１】
トレッド部１には、タイヤ周方向に沿って延び、タイヤ赤道面と平行な主溝２が複数設けられている。さらに、トレッド部１には、主溝２に交差しつつタイヤ幅方向に沿って延びる副溝３が複数設けられている。そして、トレッド部１には、これら主溝２および副溝３によりブロック状の陸部４が形成されている。
【００３２】
また、陸部４には、タイヤ径方向に深さを有して踏面４ａに開口すると共にタイヤ周方向に対して交差して細溝状に延在し、その両端が閉塞されたクローズドサイプ５が形成されている。このクローズドサイプ５は、図には明示しないが、陸部４のタイヤ周方向に複数設けられている。
【００３３】
このような空気入りタイヤにおいて、図１に示すように、陸部４の踏面４ａで開口するクローズドサイプ５の開口部５Ａと陸部４のタイヤ周方向の外壁面４ｂとの間の平均距離をＴＳＣとし、クローズドサイプ５の溝底部５Ｂにおける端部５Ｂａと陸部４のタイヤ周方向の外壁面４ｂとの間の最短距離をＴＢＥとし、クローズドサイプ５の溝底部５Ｂと陸部４のタイヤ周方向の外壁面４ｂとの間の平均距離をＴＢＣとする。この場合、ＴＢＥ＜ＴＢＣ、かつＴＳＣ＜ＴＢＣの関係を有する。
【００３４】
すなわち、本実施の形態の空気入りタイヤでは、クローズドサイプ５は、陸部４のタイヤ周方向の外壁面４ｂに対する距離が規定されており、溝底部５Ｂにおける端部５Ｂａからの最短距離ＴＢＥよりも、溝底部５Ｂからの平均距離ＴＢＣが大きく、かつ開口部５Ａからの平均距離ＴＳＣよりも、溝底部５Ｂからの平均距離ＴＢＣが大きく形成されている。また、クローズドサイプ５は、開口部５Ａの端部５Ａａと溝底部５Ｂの端部５Ｂａとが直線または直線に近似する曲線により連通し、開口部５Ａの各端部５Ａａ間と溝底部５Ｂの各端部５Ｂａ間とが、端部５Ａａ，５Ｂａ同士の連通に従って直線または直線に近似する曲線により連通している。これにより、クローズドサイプ５は、その溝底部５Ｂにおいて端部５Ｂａが陸部４のタイヤ周方向の外壁面４ｂに最も近接して形成され、かつ溝底部５Ｂから開口部５Ａに向かうに連れて外壁面４ｂに近接するように形成されている。
【００３５】
かかる構成の空気入りタイヤによれば、図２に示すように、その成形金型６において、クローズドサイプ５の形成用の板材７は、クローズドサイプ５の溝底部５Ｂとなるタイヤ径方向内側に向く先端７Ｂが、陸部４のタイヤ周方向の外壁面４ｂをなす壁部材（図示省略）に対して側端７Ｂａを最も近接するように湾曲（屈曲も含む）して形成される。このため、空気入りタイヤの成型時には、板材７の側端７Ｂａから板材７の中央へのトレッドゴムの流入量よりも、板材７の先端７Ｂのタイヤ幅方向中央から陸部４の踏面４ａへのトレッドゴムの流入量が多くなるので、このトレッドゴムの流入量の差によりクローズドサイプ５の開口部５Ａの位置で空気が端部５Ａａ側に押し出される。この結果、クローズドサイプ５の開口部５Ａのタイヤ幅方向中央でのフロークラックの発生を抑制することが可能になる。
【００３６】
しかも、かかる構成の空気入りタイヤによれば、クローズドサイプ５は、溝底部５Ｂから開口部５Ａに向かうに連れて陸部４のタイヤ周方向の外壁面４ｂに近接するように形成されている。この結果、クローズドサイプ５の開口部５Ａが陸部４の外壁面４ｂに近接するので、氷雪上走行性を維持することが可能になる。さらに、クローズドサイプ５の溝底部５Ｂが開口部５Ａよりも陸部４のタイヤ周方向の外壁面４ｂから離隔しているので、陸部４の剛性を維持し、摩耗初期のサイプクラックを抑制することが可能になる。
【００３７】
また、本実施の形態の空気入りタイヤでは、上述した陸部４のタイヤ周方向の外壁面４ｂに対するクローズドサイプ５の距離の規定において、１．２≦ＴＢＣ／ＴＢＥ≦１．８、かつ１．２≦ＴＢＣ／ＴＳＣ≦２．０の範囲に設定されていることが好ましい。
【００３８】
クローズドサイプ５の溝底部５Ｂにおける端部５Ｂａと陸部４のタイヤ周方向の外壁面４ｂとの間の最短距離ＴＢＥに対し、クローズドサイプ５の溝底部５Ｂと陸部４のタイヤ周方向の外壁面４ｂとの間の平均距離ＴＢＣが、１．２未満であると、空気入りタイヤの成型時に、成形金型６における板材７の側端７Ｂａから板材７の中央へのトレッドゴムの流入量と、板材７の先端７Ｂのタイヤ幅方向中央から陸部４の踏面４ａへのトレッドゴムの流入量との差が小さくなり、クローズドサイプ５の開口部５Ａの位置で空気を端部５Ａａ側に押し出し難くなる。一方、クローズドサイプ５の溝底部５Ｂにおける端部５Ｂａと陸部４のタイヤ周方向の外壁面４ｂとの間の最短距離ＴＢＥに対し、クローズドサイプ５の溝底部５Ｂと陸部４のタイヤ周方向の外壁面４ｂとの間の平均距離ＴＢＣが、１．８を超えると、空気入りタイヤの成型時に、成形金型６における板材７の側端７Ｂａから板材７の中央へのトレッドゴムの流入量よりも、板材７の先端７Ｂのタイヤ幅方向中央から陸部４の踏面４ａへのトレッドゴムの流入量が多くなりすぎ、トレッドゴムの流入不良が生じ易くなる。このため、クローズドサイプ５の開口部５Ａのタイヤ幅方向中央でのフロークラックの発生を抑制するうえで、１．２≦ＴＢＣ／ＴＢＥ≦１．８の範囲に設定されていることがより好ましい。
【００３９】
また、陸部４の踏面４ａにおけるクローズドサイプ５の開口部５Ａと陸部４のタイヤ周方向の外壁面４ｂとの間の平均距離ＴＳＣに対し、クローズドサイプ５の溝底部５Ｂと陸部４のタイヤ周方向の外壁面４ｂとの間の平均距離ＴＢＣが、１．２未満であると、陸部４のタイヤ周方向の外壁面４ｂに対するクローズドサイプ５の開口部５Ａの平均距離と、陸部４のタイヤ周方向の外壁面４ｂに対する溝底部５Ｂの平均距離との差が小さくなるので、陸部４の剛性が低下し、摩耗初期のサイプクラックを抑制することが難しくなる。一方、陸部４の踏面４ａにおけるクローズドサイプ５の開口部５Ａと陸部４のタイヤ周方向の外壁面４ｂとの間の平均距離ＴＳＣに対し、クローズドサイプ５の溝底部５Ｂと陸部４のタイヤ周方向の外壁面４ｂとの間の平均距離ＴＢＣが、２．０を超えると、陸部４のタイヤ周方向の外壁面４ｂに対するクローズドサイプ５の開口部５Ａの平均距離と、陸部４のタイヤ周方向の外壁面４ｂに対する溝底部５Ｂの平均距離との差が大きすぎるので、氷雪上走行性が低下する。このため、氷雪上走行性および陸部４の剛性を維持するうえで、１．２≦ＴＢＣ／ＴＳＣ≦２．０の範囲に設定されていることがより好ましい。
【００４０】
なお、図１において、クローズドサイプ５の開口部５Ａは、端部５Ａａが陸部４のタイヤ周方向の外壁面４ｂに最も近接して全体として湾曲（屈曲も含む）して示されているが、上述した陸部４のタイヤ周方向の外壁面４ｂに対するクローズドサイプ５の距離の規定においてはこの限りではない。例えば、図には明示しないが、クローズドサイプ５の開口部５Ａは、タイヤ幅方向に沿って直線状に形成されている形態を含む。
【００４１】
また、本実施の形態の空気入りタイヤでは、図３に示すように、上述した陸部４のタイヤ周方向の外壁面４ｂに対するクローズドサイプ５の距離の規定に加え、クローズドサイプ５の開口部５Ａにおける端部５Ａａと陸部４のタイヤ周方向の外壁面４ｂとの間の最短距離をＴＳＥとした場合に、ＴＳＣ≦ＴＳＥの関係を有する。
【００４２】
すなわち、図３に示すように、クローズドサイプ５は、陸部４のタイヤ周方向の外壁面４ｂに対する距離がさらに規定されており、開口部５Ａにおける端部５Ａａからの最短距離ＴＳＥが、陸部４の踏面４ａにおける開口部５Ａからの平均距離ＴＳＣ以上に形成されている。
【００４３】
かかる構成の空気入りタイヤによれば、図３に示すように、クローズドサイプ５の開口部５Ａにおける端部５Ａａが陸部４のタイヤ周方向の外壁面４ｂから最も離隔して全体として湾曲（屈曲も含む）形成される。この結果、クローズドサイプ５の開口部５Ａの端部５Ａａへの応力集中が緩和されるので、クローズドサイプ５の開口部５Ａにおける端部５Ａａと陸部４のタイヤ周方向の外壁面４ｂとの間での、摩耗初期のサイプクラックを抑制することが可能になる。
【００４４】
また、本実施の形態の空気入りタイヤでは、上述した陸部４のタイヤ周方向の外壁面４ｂに対するクローズドサイプ５の距離の規定において、１．０≦ＴＳＥ／ＴＳＣ≦１．５の範囲に設定されていることが好ましい。
【００４５】
クローズドサイプ５の開口部５Ａと陸部４のタイヤ周方向の外壁面４ｂとの間の平均距離ＴＳＣに対し、クローズドサイプ５の開口部５Ａにおける端部５Ａａと陸部４のタイヤ周方向の外壁面４ｂとの間の最短距離ＴＳＥが、１．０未満であると、クローズドサイプ５の開口部５Ａの端部５Ａａが、陸部４のタイヤ周方向の外壁面４ｂに最も近接するので、クローズドサイプ５の開口部５Ａにおける端部５Ａａと陸部４のタイヤ周方向の外壁面４ｂとの間での、摩耗初期のサイプクラックを抑制することが難しくなる。一方、クローズドサイプ５の開口部５Ａと陸部４のタイヤ周方向の外壁面４ｂとの間の平均距離ＴＳＣに対し、クローズドサイプ５の開口部５Ａにおける端部５Ａａと陸部４のタイヤ周方向の外壁面４ｂとの間の最短距離ＴＳＥが、１．５を超えると、クローズドサイプ５の開口部５Ａの中程が、陸部４のタイヤ周方向の外壁面４ｂに最も近接するので、空気入りタイヤの成型時に、成形金型６における板材７の側端７Ｂａから板材７の中央へのトレッドゴムの流入量に対し、板材７の先端７Ｂのタイヤ幅方向中央から陸部４の踏面４ａへのトレッドゴムの流入量が少なくなり、クローズドサイプ５の開口部５Ａの位置で空気を端部５Ａａ側に押し出し難くなる。また、クローズドサイプ５の開口部５Ａと陸部４のタイヤ周方向の外壁面４ｂとの間の平均距離ＴＳＣに対し、クローズドサイプ５の開口部５Ａにおける端部５Ａａと陸部４のタイヤ周方向の外壁面４ｂとの間の最短距離ＴＳＥが、１．５を超えると、クローズドサイプ５の開口部５Ａにおける端部５Ａａが、陸部４のタイヤ周方向の外壁面４ｂから最も離隔するので、氷雪上走行性が低下する。このため、氷雪上走行性および陸部４の剛性を維持しつつクローズドサイプ５の開口部５Ａのタイヤ幅方向中央でのフロークラックの発生を抑制するうえで、１．０≦ＴＳＥ／ＴＳＣ≦１．５の範囲に設定されていることがより好ましい。
【００４６】
また、本実施の形態の空気入りタイヤでは、クローズドサイプ５の開口部５Ａにおける延在方向の形状に沿う端部５Ａａ間距離をＬＳとし、クローズドサイプ５の溝底部５Ｂにおける延在方向の形状に沿う端部５Ｂａ間距離をＬＢとした場合に、ＬＳ＜ＬＢの関係を有する。
【００４７】
かかる構成の空気入りタイヤによれば、新品時に対して陸部４の踏面４ａの摩耗時でのクローズドサイプ５の線分が増加するので、摩耗時におけるエッジ成分が増加し、陸部４の踏面４ａの摩耗に伴う氷雪上走行性の低下を抑制することが可能になる。
【００４８】
また、本実施の形態の空気入りタイヤでは、上述したクローズドサイプ５の開口部５Ａにおける端部５Ａａ間距離ＬＳと、クローズドサイプ５の溝底部５Ｂにおける端部５Ｂａ間距離ＬＢとの規定において、１．２≦ＬＢ／ＬＳ≦２．０の範囲に設定されていることが好ましい。
【００４９】
クローズドサイプ５の開口部５Ａにおける端部５Ａａ間距離ＬＳに対し、クローズドサイプ５の溝底部５Ｂにおける端部５Ｂａ間距離ＬＢが１．２未満であると、摩耗時におけるエッジ成分の増加量が少なくなる。一方、クローズドサイプ５の開口部５Ａにおける端部５Ａａ間距離ＬＳに対し、クローズドサイプ５の溝底部５Ｂにおける端部５Ｂａ間距離ＬＢが２．０を超えると、クローズドサイプ５の開口部５Ａにおける端部５Ａａ間距離ＬＳが小さすぎ、氷雪上走行性が維持し難くなる。このため、氷雪上走行性の低下を抑制するうえで、１．２≦ＬＢ／ＬＳ≦２．０の範囲に設定されていることがより好ましい。
【００５０】
また、本実施の形態の空気入りタイヤでは、２．０［ｍｍ］≦ＴＳＣ≦６．０［ｍｍ］の範囲に設定されていることが好ましい。
【００５１】
クローズドサイプ５の開口部５Ａと陸部４のタイヤ周方向の外壁面４ｂとの間の平均距離ＴＳＣを短くすると、外壁面４ｂの近くにクローズドサイプ５が配置されてエッジ効果が増大し氷雪上走行性が向上する。その反面、ＴＳＣが２．０［ｍｍ］未満で、クローズドサイプ５が外壁面４ｂに近すぎると、クローズドサイプ５と外壁面４ｂとの間の剛性が低下してヒールアンドトウ摩耗が発生し易くなる。一方、ＴＳＣが６．０［ｍｍ］を超えると、クローズドサイプ５の開口部が陸部４のタイヤ周方向の外壁面から離隔するため氷雪上走行性が低下する。このため、氷雪上走行性および陸部４の剛性を維持するうえで、２．０［ｍｍ］≦ＴＳＣ≦６．０［ｍｍ］の範囲に設定されていることがより好ましい。
【００５２】
また、本実施の形態の空気入りタイヤでは、図１および図３に示すように、主溝２の溝深さ（タイヤ径方向寸法）Ｄは、１８［ｍｍ］以上の範囲に設定され、かつクローズドサイプ５の溝深さ（タイヤ径方向寸法）ＤＴが、主溝２の溝深さＤの５０［％］以上１００［％］以下の範囲に設定されている。
【００５３】
主溝２の溝深さＤが１８［ｍｍ］以上の空気入りタイヤ、すなわち重荷重用空気入りタイヤでは、クローズドサイプ５の溝深さＤＴが主溝２の溝深さＤの５０［％］以上の範囲でエッジ成分が作用して氷雪上性が維持できる。なお、クローズドサイプ５の溝深さＤＴが主溝２の溝深さＤの１００［％］を超えると、ブロック剛性が低下する。このような構成の空気入りタイヤにおいては、タイヤ成型時にトレッドゴムが流入し難く、フロークラックが発生し易い傾向にある。このため、主溝２の溝深さＤが１８［ｍｍ］以上で、かつクローズドサイプ５の溝深さＤＴが主溝２の溝深さＤの５０［％］以上１００［％］以下の範囲の空気入りタイヤを適用対象とすることで、氷雪上走行性および陸部４の剛性を維持しつつ、フロークラックの発生を抑制する効果が顕著にあらわれる。
【実施例】
【００５４】
本実施例では、図４に示すように、条件が異なる複数種類の空気入りタイヤについて、新品時雪上制動性、４０［％］摩耗時雪上制動性、耐クラック性、およびフロークラック発生状況に関する性能試験が行われた。
【００５５】
この性能試験では、タイヤサイズ１１Ｒ２２．５の空気入りタイヤを、適用リムに組み付け、規定内圧（空気圧８００［ｋＰａ］）を充填し、２−Ｄ・４の重荷重用試験車両に装着しＪＡＴＭＡに規定される最大荷重を負荷した。
【００５６】
ここで、適用リムとは、ＪＡＴＭＡに規定される「標準リム」、ＴＲＡに規定される「Design  Rim」、あるいはＥＴＲＴＯに規定される「Measuring  Rim」をいう。また、規定荷重とは、ＪＡＴＭＡに規定される「最大負荷能力」、ＴＲＡに規定される「TIRE  LOAD  LIMITS  AT  VARIOUS  COLD  INFLATION  PRESSURES」の最大値、あるいはＥＴＲＴＯに規定される「LOAD  CAPACITY」をいう。
【００５７】
評価方法は、雪上制動性では、上記重荷重用試験車両にて、雪上路面での走行速度４０［ｋｍ／ｈ］からの制動距離が評価される。この評価は、従来例の空気入りタイヤを基準（１００）とした指数値により示され、その指数値が大きいほど好ましい。そして、この雪上制動性の性能試験を、新品時および４０［％］摩耗時でそれぞれ行った。
【００５８】
耐クラック性では、上記重荷重用試験車両にて、舗装路９９［％］、非舗装路１［％］を１万［ｋｍ］走行する。そして、この走行後にて、クローズドサイプと陸部のタイヤ周方向外壁面との間でのクラック発生本数を目視により測定し、その逆数を求めて評価される。この評価は、従来例の空気入りタイヤを基準（１００）とした指数値により示され、その指数値が大きいほど好ましい。
【００５９】
フロークラック発生状況では、空気入りタイヤを試作し、目視によりフロークラックの発生の有無を確認した。
【００６０】
従来例、比較例および実施例の空気入りタイヤは、陸部の踏面にクローズドサイプを有した空気入りタイヤである。従来例の空気入りタイヤは、クローズドサイプの開口部と陸部のタイヤ周方向の外壁面との間の平均距離ＴＳＣに対する、クローズドサイプの開口部における端部と陸部のタイヤ周方向の外壁面との間の最短距離ＴＳＥの比（ＴＳＥ／ＴＳＣ）が１．０で規定内に設定されているが、その他、クローズドサイプの溝底部における端部と陸部のタイヤ周方向の外壁面との間の最短距離ＴＢＥに対する、クローズドサイプの溝底部と陸部のタイヤ周方向の外壁面との間の平均距離ＴＢＣの比（ＴＢＣ／ＴＢＥ）と、クローズドサイプの開口部と陸部のタイヤ周方向の外壁面との間の平均距離ＴＳＣに対する、クローズドサイプの溝底部と陸部のタイヤ周方向の外壁面との間の平均距離ＴＢＣの比（ＴＢＣ／ＴＳＣ）と、クローズドサイプの開口部における端部間距離ＬＳに対する、クローズドサイプの溝底部における端部間距離ＬＢの比（ＬＢ／ＬＳ）と、クローズドサイプの開口部と陸部のタイヤ周方向の外壁面との間の平均距離ＴＳＣとが規定外である。また、比較例の空気入りタイヤは、ＴＳＥ／ＴＳＣおよびＴＳＣが規定内に設定されている。
【００６１】
一方、実施例１の空気入りタイヤは、ＴＢＣ／ＴＢＥおよびＴＢＣ／ＴＳＣが規定内に設定されている。実施例２の空気入りタイヤは、実施例１の空気入りタイヤに対し、さらにＴＳＥ／ＴＳＣが規定内に設定されている。実施例３の空気入りタイヤは、実施例１の空気入りタイヤに対し、さらにＴＳＥ／ＴＳＣが１．２でより好ましい規定内に設定されている。実施例４の空気入りタイヤは、実施例３の空気入りタイヤに対し、さらにＬＢ／ＬＳが規定内に設定されている。実施例５の空気入りタイヤは、実施例４の空気入りタイヤに対し、さらにＴＳＣが規定内に設定されている。
【００６２】
図４の試験結果に示すように、実施例１〜実施例５の空気入りタイヤでは、それぞれ新品時雪上制動性、４０［％］摩耗時雪上制動性、耐クラック性、およびフロークラック発生状況が向上されていることが分かる。
【産業上の利用可能性】
【００６３】
以上のように、本発明にかかる空気入りタイヤは、氷雪上走行性および陸部の剛性を維持しつつ、フロークラックの発生を抑制することに適している。
【符号の説明】
【００６４】
１  トレッド部
２  主溝
３  副溝
４  陸部
４ａ  踏面
４ｂ  外壁面
５  クローズドサイプ
５Ａ  開口部
５Ａａ  端部
５Ｂ  溝底部
５Ｂａ  端部
６  成形金型
７  板材
７Ｂ  先端
７Ｂａ  側端
ＴＳＣ  クローズドサイプの開口部と陸部のタイヤ周方向の外壁面との間の平均距離
ＴＳＥ  クローズドサイプの開口部における端部と陸部のタイヤ周方向の外壁面との間の最短距離
ＴＢＣ  クローズドサイプの溝底部と陸部のタイヤ周方向の外壁面との間の平均距離
ＴＢＥ  クローズドサイプの溝底部における端部と陸部のタイヤ周方向の外壁面との間の最短距離
ＬＳ  クローズドサイプの開口部における延在方向の形状に沿う端部間距離
ＬＢ  クローズドサイプの溝底部における延在方向の形状に沿う端部間距離
【図１】
2010254195.tif 000003
【図２】
2010254195.tif 000004
【図３】
2010254195.tif 000005
【図４】
2010254195.tif 000006